(57)【特許請求の範囲】
【請求項１】
横断面Ｃ形の複数本のＣ形鋼材が間隔を置いて平行に配設された建築物の内面に断熱材を取り付ける工法であって、直方形板状に形成された断熱材と、該断熱材の一辺と略々同じ長さに切断された横断面Ｈ形のＨ形鋼材と、一方の外側面に前記Ｈ形鋼材の端部に係合する突起が形成された略Ｕ字形の止金具とを備え、断熱材の一辺を前記Ｃ形鋼材の開口部に差し込み、該断熱材の相対する両辺を前記Ｈ形鋼材の両側に形成された凹部に差し込むとともに該Ｈ形鋼材の一端を前記Ｃ形鋼材の開口部に差し込んで該Ｈ形鋼材を該Ｃ形鋼材と直交するように配置し、該Ｈ形鋼材の他端部に止着された前記止金具を前記Ｃ形鋼材と間隔を置いて平行に配設されたＣ形鋼材の外周面に被着し、該止金具の他方端部を内方へ折曲し該Ｃ形鋼材の開口部に係合することを特徴とした建築物内面への断熱材取付工法。
【発明の詳細な説明】
【技術分野】
【０００１】
本発明は、例えば工場や倉庫等の建築物の屋根または壁の内面に断熱材を簡単に取り付けるための工法に関するものである。
【背景技術】
【０００２】
例えば、工場や倉庫等の建築物によく使用されているスレート瓦葺の屋根は、断熱性がないので、既存の建築物について冷暖房効果を上げ、冷暖房コストを節約するため、建築後にも断熱工事が追加的に必要になることが多い。
【発明の開示】
【発明が解決しようとする課題】
【０００３】
しかし、既存の屋根や壁の内面に断熱材を取り付けようとすると、専門業者に拠らなければならず、工事のための足場も必要になるとともに、工事に時間が掛かるので、工場や倉庫の使用を一時中止せざるを得なくなるなど、断熱工事のために多大なコストが必要になるという問題があった。本発明はこのような問題点を解決しようとするものである。
【課題を解決するための手段】
【０００４】
そのために本発明は、横断面Ｃ形の複数本のＣ形鋼材が間隔を置いて平行に配設された建築物の内面に断熱材を取り付ける工法であって、直方形板状に形成された断熱材と、該断熱材の一辺と略々同じ長さに切断された横断面Ｈ形のＨ形鋼材と、一方の外側面に前記Ｈ形鋼材の端部に係合する突起が形成された略Ｕ字形の止金具とを備え、断熱材の一辺を前記Ｃ形鋼材の開口部に差し込み、該断熱材の相対する両辺を前記Ｈ形鋼材の両側に形成された凹部に差し込むとともに該Ｈ形鋼材の一端を前記Ｃ形鋼材の開口部に差し込んで該Ｈ形鋼材を該Ｃ形鋼材と直交するように配置し、該Ｈ形鋼材の他端部に止着された前記止金具を前記Ｃ形鋼材と間隔を置いて平行に配設されたＣ形鋼材の外周面に被着し、該止金具の他方端部を内方へ折曲し該Ｃ形鋼材の開口部に係合することを特徴とする。
【発明の効果】
【０００５】
本発明によれば、建築物の屋根や壁の内面に断熱材を短時間で簡単に取り付けることができるので、断熱工事に必要とするコストを大幅に軽減することができる。
【発明を実施するための最良の形態】
【０００６】
図１の（イ）〜（ニ）に本発明に係る断熱材取付工法をその工程順に示す。図中、１はスレート瓦葺工場建屋等の建築物の屋根材の一部を示し、２，３は該屋根材を支える横梁材となるように該屋根材の下側に適宜間隔を置いて平行に配設された横断面Ｃ形のＣ形鋼材、４は該Ｃ形鋼材２，３の間隔に収まり得る直方形板状に形成された断熱材である。なお、該Ｃ形鋼材２，３は、図示したように、開口部２ａ，３ａが屋根の傾斜に沿って斜め上向きとなるように配設されている。また、断熱材４は、現在一般に市販・使用されているものを使うことができ、屋根の広さに応じて多数枚を用意する。
【０００７】
５は断熱材４の一辺の長さと略々同じ長さに切断されたＨ形鋼材で、該Ｈ形鋼材は図２に横断面形状を示したように横断面Ｈ形であるがゆえに、同図中の両側に高さｈの凹部５ａ，５ｂが形成される。また、同図中の上面と下面に突条６ａ，６ｂが形成されていることにより、幅ｓの係合溝７ａ，７ｂが形成されたものである。
【０００８】
８は帯板状の鋼材により形成された略Ｕ字形の止金具で、該止金具８は、図３，図４にも示されたように、一方の外側面に一対の板状の突起９ａ，９ｂが一体に形成され、該突起９ａ，９ｂを前記係合溝７ａ，７ｂに嵌合させることにより該止金具をＨ形鋼材５の端部に止着し得るようにしている。また、該止金具８の他方端部１０は鉤状に折曲形成されている。そして、該他方端部１０は、作業者が手または手工具を使用し加圧することにより簡単に折り曲げられる程度の硬さに形成されている。
【０００９】
屋根材１の内側に断熱材４を取り付けるに際しては、先ず図１（イ）に示したように、該断熱材４の一辺４ａをＣ形鋼材２の開口部２ａに差し込むとともに、図１（ロ）および図４に示したように、該断熱材４の相対する両辺４ｂ，４ｂをＨ形鋼材５の両側に形成された凹部５ａ，５ｂに差し込み、該Ｈ形鋼材５の一端をＣ形鋼材２の開口部２ａに差し込んで該Ｈ形鋼材５を該Ｃ形鋼材２と直交するように配置する。
【００１０】
そして、Ｃ形鋼材２と間隔を置いて平行に配設されたＣ形鋼材３に対して該Ｈ形鋼材５の他端部に止着された前記止金具８を図１（ハ）および図３（イ）に示したように被着する。この被着作業は、止金具８をＣ形鋼材３に対して下側から持ち上げるだけで格別の工具も要さず簡単に行うことができる。そして、該止金具８の他方端部１０を図３（ロ）に矢印で示したように作業者が手で押し上げ、該他方端部１０を内方へ折曲させることで、該他方端部１０を該Ｃ形鋼材３の開口部３ａに係合させる。これにより、図１（ニ）および図５に示したように、該止金具８が該Ｃ形鋼材３に止着され、Ｃ形鋼材２とＣ形鋼材３の間に断熱材４を簡単に取り付けることができる。
なお、このように断熱材４を取り付けることで、該断熱材４は、一辺４ａがＣ形鋼材２によって支持され、両辺４ｂ，４ｂが両側のＨ形鋼材５によって支持されるので、落下するようなおそれはなく、確実に取り付けられる。
【００１１】
同様にＨ形鋼材５と止金具８を使用し、多数の断熱材４をＣ形鋼材２とＣ形鋼材３の間、およびその他のＣ形鋼材の間にも取り付けることにより、屋根材１の内側全面を該断熱材によって覆うことができる。
なお、建築物の壁の内面についても、同様の工法により、平行に配設されたＣ形鋼材の間に断熱材４を取り付けることができる。
【００１２】
このように本発明によれば、簡単な作業で断熱材を取り付けられ、工事のための足場をいちいち設けなくても、脚立や高所作業車等を使用することで、短時間で断熱工事を完了させることができるので、工事のためのコストを大幅に軽減することができる。
【図面の簡単な説明】
【００１３】
【図１】本発明に係る断熱材取付工法を工程順に示した断面図。
【図２】本発明に係るＨ形鋼材の横断面図。
【図３】Ｃ形鋼材に本発明に係る止金具を係合した横断面図。
【図４】本発明に係る断熱材取付工法の一工程を示した俯瞰図。
【図５】本発明に係る断熱材取付工法の一工程を示した俯瞰図。
【符号の説明】
【００１４】
１            屋根材
２，３        Ｃ形鋼材
２ａ，３ａ    開口部
４            断熱材
４ａ          一辺
４ｂ，４ｂ    両辺
５            Ｈ形鋼材
５ａ，５ｂ    凹部
６ａ，６ｂ    突条
７ａ，７ｂ    係合溝
８            止金具
９ａ，９ｂ    突起
１０          他方端部
【図１】
0004990528.tif 000002
【図２】
0004990528.tif 000003
【図３】
0004990528.tif 000004
【図４】
0004990528.tif 000005
【図５】
0004990528.tif 000006